(57)【要約】      （修正有）【課題】未達の問題に鑑みてなされたものであり、環境問題に鑑みて、鉛を含まない銅合金を利用しつつ、ルアー本来に必須の集魚効果に優れ、良好な加飾デザイン性を備えたルアーを提供する。【解決手段】魚形を形成する本体とウエイト部を備えたルアーにおいて、本体を構成する金属材料が鉛を含まない銅の合金であることを特徴とするハードルアーが提供され、好適には、ルアー本体を構成する金属材料が銅８０乃至９０重量％に対し錫が１０乃至２０重量％の銅合金で構成されるハードルアーが提供される。【選択図】図１
2020137464.tif 000002
【特許請求の範囲】
【請求項１】
魚形を形成する本体とウエイト部を備えたルアーにおいて、本体を構成する金属材料が鉛を含まない銅の合金であることを特徴とするハードルアー。
【請求項２】
ルアー本体を構成する金属材料が銅８０乃至９０重量％に対し錫が１０乃至２０重量％の銅合金で構成される請求項１に記載のハードルアー。
【発明の詳細な説明】
【技術分野】
【０００１】
本発明は、加飾性に優れたルアーに関するものである。さらに詳細には、環境委配慮した銅合金の表面加工容易性によって集魚光沢性に卓越したルアーに関するものである。
【背景技術】
【０００２】
近年、釣りはレジャーというより野外スポーツの感覚で人気を博しており、世界的に釣り人口が増加している。そんな中でもルアーフィッシングが根強い人気である。ルアー（lure）とは、いわゆる「疑似餌」のことであり、ルアーを用いた釣りのことを「ルアーフィッシング」と呼ぶ。ルアーフィッシングにおいては、対象の魚によって使用したルアーの集魚効果も変わりうるところ、その選択肢は多種多様であることから、ある種のゲーム感覚を持って世界中でも親しまれている。
【０００３】
ルアーには、大きく分けて「ハードルアー」と「ソフトルアー」があり、その形状も様々である。例えば、ハードルアーは、金属や木、プラスチックでできたルアーであり、基本的に小魚をイメージして作られたものであるが、形状や機能の違いから、スプーン、プラグ、スピナー、ジグ等に区分して呼ばれている。
一方のソフトルアーは、合成樹脂やラバー、生分解性樹脂でできた軟らかいルアーであり、基本的にフック（釣針）とシンカー（おもり）とを組み合わせて使用し、この組み合わせのことを リグ（またはリギング） という。
【０００４】
いずれのルアーを使用したフィッシングにおいても、本物のエサではなく、いわゆる「疑似餌」を使って魚を釣ることから、釣り人の技量が伴うとともに、いかにルアーを本物の魚類のように見せ、高い集魚効果をはかるかといったルアー自体の創意工夫が必須である。
【０００５】
集魚効果は、ルアーの動き方、音および光の度合いによって影響を受けることから、その点に着目した改良がなされている。また、ハードルアーにおいては、古くから鉛が多用されてきたが、断線後のロストによる環境汚染の問題が指摘されており、これに代わる素材の選択が重要な課題となっており、これまでにもいろいろな対策手段が考案されてきている。
【０００６】
例えば、特許文献１は、沈下速度が早い等の操作性が良く、しかも、環境汚染を起こさない漁具用ウエイトとその用途および製造方法に関するものであり、成形が容易で安価でありソフトルアー化も容易であってしかも高比重の漁具用ウエイトとルアーとこれらの製造方法を提供するものである。当該発明においては、 鉛、亜鉛、錫を実質的に含まない高比重金属の粒子を樹脂で被覆して複合化した粉末材料を用いる。
しかしながら、加工面での操作性や実用面では集魚効果に劣り、未だ不十分である。
【０００７】
特許文献２は、マンネリ化を払拭する工夫およびその他の工夫を施すことで、充分に顕著な独創性および斬新性を備えていて高い釣果を得ることのできるようにした新規のルアーを提供することを目的とするものである。当該目的を達成するために、この発明に係るルアーは、鉛、錫、タングステンもしくはこれ等の合金等の比重の大きい金属材料を以てルアー本体を構成し、このルアー本体を頭尾を結ぶ線と交差する線上個所で多数個に分割し、これ等分割体同士を折れ曲がり自在に連結する折曲自在連結部で連結して成るものである。この構成において、良好なくねり動作を得るためには、分割体同士間に比重差をつけた状態で実施するのが好ましく、特に、頭の方を重くし、尾の方を軽くするのが好ましいことが開示されている。
しかしながら本発明では、ルアーの動き方に工夫がされているが、制作に手間とコストがかかるほか、鉛を使用しているため環境対策上は問題が残っている。
【０００８】
特許文献３は、沈降又はリトリーブの際に魚を刺激する動きを行い、かつ遠くのポイントに正確に着水させられるルアー本体に幅広部を有するルアーを提供する構成が開示されており、特に形状がスプーン形状に類似したルアー本体に幅広部において、水との抵抗によって魚の有する食餌本脳や縄張意識を刺激する動きを発生できるような動作発生部を有するルアーを構成している。
当該本発明によれば、ルアー遠投時の飛行方向に安定性はあるが、着水後の集魚効果が不十分である。
【０００９】
特許文献４は、釣り人が釣り場で使用するルアーの改良に関し、ルアーに新しい機能を付加して魚をおびきよせ、釣りの成果を最大限に発揮の出来るルアーを提供するものである。具体的には、ルアー本体を軟質吸水材でなる略魚形状にし、その本体が袋状で内部に半固形体或いは、固形体の配合餌を細目のネットに巻装して密封体で収納し、これらが海中で溶解し除々にネットの細目を通過し本体の表面に設けた、いくつかの放散孔を通過して海中にばら撒がれる撒餌となる配合餌を装着したルアーを構成するものである。
本発明は、配合餌を装着していることからイワナやブラックバス等の特定の魚類には向くが、小魚等の集魚には適していない。
【００１０】
特許文献５は、比重が大きく、ボディと塗装層との密着性に優れ、容易に製造されうるルアーを提供するものであり、当該発明に係るルアーは、ボディ、ワイヤー及び被覆層を備えているところ、このボディには、タングステン又はタングステン合金からなり、所定の溝を備えている。ワイヤーは、金属線からなり、ボディの溝に配置されている。また被覆層は、この溝に充填されてかつボディの表面を覆うものである。
本発明では、ボディがタングステン合金からなるため、加飾デザイン性に劣っている。
【００１１】
特許文献６は、ラトル音と同種の音をルアー本体の外部で発生させるとともに、光による存在提示を可能にするルアーを提供するものである。具体的な構成としては、ルアー本体の腹側に連結用リングを介して設けられたブレードと、このブレードが後方に振れるとき該ブレードに接触する位置に設けられた突起部とを備える。発光体を装着可能にする場合は、ルアー本体の背側に長手方向に沿って長尺に形成された溝部と、この溝部を跨ぐようにアーチ状を形成してなる少なくとも二つのアーチ部とを備える。
本発明では、ルアー本体内部にラトルボールを内蔵し、発行体を装着した場合には音と光によって集魚効果を上げる工夫がされているが、ルアー構成が煩雑であり、簡便性に劣っている。
【００１２】
特許文献７は、環境汚染を最小化することができ、水深に応じた魚類や頭足類の漁獲が可能であり、ルアーの損失を最小化し、魚類や頭足類を容易に誘引することができ、ルアーのキャスティングの際に飛距離を向上させる釣り用ルアーを提供するものである。手段として、木材から海老や小さな魚の形状に形成され、表面に螺鈿用貝片が付着され、頭部に釣り糸が連結される連結リングを備えた本体と、複数の針が環状に本体に向かって形成され、前記本体の尾部に結合される一つ以上のフックと、一定の重量を持ち、ルアー本体の頭部の下側に形成された孔に着脱可能に結合されるシンカーとを含んでなるルアーを構成する。
本発明によれば、飛距離向上には一定の効果を上げたが、集魚という点では未だ不十分である。
【先行技術文献】
【特許文献】
【００１３】
【特許文献１】特開２００１−６９８９１号公報
【特許文献２】特開２００３−２５０３９３号公報
【特許文献３】特開２００９−２４０２７７号公報
【特許文献４】特開２００５−６５６６８号公報
【特許文献５】特開２０１０−６８７１１号公報
【特許文献６】特開２０１３−２３６５７４号公報
【特許文献７】特開２０１４−２２６１２２号公報
【発明の概要】
【発明が解決しようとする課題】
【００１４】
本発明は、上記の未達の問題に鑑みてなされたものであり、環境問題に鑑みて、鉛を含まない銅合金を利用しつつ、ルアー本来に必須の集魚効果に優れ、良好な加飾デザイン性を備えたルアーを提供することを目的とする。
【課題を解決するための手段】
【００１５】
本発明者は、上記の課題を解決すべく、処理袋の機能的形状と素材を追求した結果、特定の形状と構造を備えた袋が所望の効果が発揮されることを見出し、本発明を完成した。
【００１６】
すなわち、本発明の請求項１によれば、  魚形を形成する本体とウエイト部を備えたルアーにおいて、本体を構成する金属材料が鉛を含まない銅の合金であることを特徴とするハードルアーが提供され、本発明の請求項２によれば、ルアー本体を構成する金属材料が銅８０乃至９０重量％に対し錫が１０乃至２０重量％の銅合金で構成される請求項１に記載のハードルアーが提供される。
【発明の効果】
【００１７】
本発明のハードルアーは、鉛を含まない銅合金（青銅鋳物）で構成される砲金であり、特に青銅の中でも最も海水耐性にすぐれた特定の銅合金を使用しているため、環境対策的に優れ、銅と錫の特定比率によって、卓越した光沢性を保持できることから、安定した集魚効果が図れるものである。製造工程において、加飾しやすいため、表面にはメッキ塗装等が必要なく、生産効率化にも寄与しうるものである。
【図面の簡単な説明】
【００１８】
【図１】ルアーの一例（加飾前）を示す外観図である。
【図２】ルアーの一例（加飾後の光沢を付加したもの）を示す外観図である。
【発明を実施するための形態】
【００１９】
本発明は、ルアー本体を構成する金属材料が銅８０乃至９０重量％に対し錫が１０乃至２０重量％の銅合金で構成されるものである。当該構成を選択した理由は、前記のとおり、主として環境対策および錫の集魚効果を高める光沢性の付与であるところ、製造工程上の利点もある。銅の比率を９０重量％以上にすると、硬度的に柔軟すぎ、形成しづらく特にメタルジグの材質には適さないからである。
また、錫の選択理由としては、海水耐性と研磨時の光沢性、特に銅との相性において独特の光沢性と光照射時の屈折効果によって魚に最適な刺激を付与できる配合の妙があり、銅の８０乃至９０重量％に対し１０乃至２０重量％が最適であるからである。
さらに、加工時、硬度的も２０重量％を超えると非常にしづらい面があり、不向きである。
【実施例】
【００２０】
以下、実施例により、本発明を具体的に説明するが、本発明の範囲は当該実施例に限定されるものではない。
【００２１】
図１に、本発明のハードルアーの外観を一例として示した。
【００２２】
図１に開示したハードルアー（オーシャインジグ）の製造鋳物工程は、魚状の造形をしたのち、砂型鋳造により加工する。加工後は、鏡面研磨をして最後にクリア塗装（酸化防止措置を含む）をして完成する。
【００２３】
図１に開示のハードルアーを用いて、集魚効果を確認した。
＜本ルアーにおける集魚効果試験内容＞
出願人は、ソルトウォーターフィッシングにおいて、本発明品の銅合金ルアー（銅：錫重量比は８０；２０で構成）と有名他社ルアー（鉛製）での釣果試験を全潮汐で実施した。
試験条件はいずれも早朝５時〜１５時、全潮汐、時期は夏季〜秋季、ルアーのみを用いたジギングであった。各日５名乗船でルアーフィッシングを行ったところ、どの試験日においても当社ルアーが明らかな集魚効果を発揮することが確認された。
本ルアー使用は２名、他３名は有名他社Ａ、Ｂ及びＣのルアーを使用し、全潮汐で同時間のジギングを行ったが、有名他社ルアーで釣果が全くかほとんど得られなかった。一方、このような状況下でも、本発明ルアーに係るメタルジグでは、ヒラメ、真鯛、イトヨリダイ、アラカブ、アオナ、横紋ハタ、フエフキダイ、マハタ、アコウ、その他様々な魚種で釣果を得ることが出来た。
この多種多様な魚種に対する集魚効果によりソルトウォーターフィッシングにおける最大の狙いである大型青物への集魚効果も十分であると考えられる。
このように、本発明のハードルアーは、他のメタルジグよりも釣果に優れ、集魚効果が高いことが確認できたが、この要因は、先述のとおり、本発明の独特の光沢性と光照射時の屈折効果によって魚に最適な刺激を付与することにあると考えられる。
【図１】
2020137464.tif 000003
【図２】
2020137464.tif 000004